(57)【要約】【課題】構造が簡単で、安価に作製でき、保管場所に大きなスペースを必要せず、長期間にわたって破損したり、損傷したりすることがないハンドワイパーを提供する。【解決手段】細長板状のワイパー本体１と、このワイパー本体１の支持具３の上面に連結される長板状の柄部４とを備え、支持具３の上面に、その軸心が支持具３の長手方向に沿って配設された横向き連結部１１と、その軸心が上記長手方向に対し直交する方向に沿って配設された前向き連結部１２とを設け、柄部４の先端部に筒体２３を、その軸心が柄部４の長手方向に沿うようにして固定し、支持具３の横向き連結部１１に柄部４の筒体２３を挿入して支持具３にその長手方向に沿う状態で柄を連結する第１態様と、支持具３の前向き連結部１２に柄部４の筒体２３を挿入して支持具３にその長手方向に対し直交する状態で柄部４を連結する第２態様とに切り換え可能である。【選択図】図１
2008093272.tif 000002
【特許請求の範囲】
【請求項１】
ブレードと支持具とを備えた細長板状のワイパー本体と、このワイパー本体の支持具の上面に着脱自在に連結される長板状の柄部とを備え、上記支持具の上面に、一端から他端に向かって窄まり状に形成されその軸心が上記支持具の長手方向に沿って配設された略小柱状の第１連結部と、一端から他端に向かって窄まり状に形成されその軸心が上記支持具の長手方向に対し直交する方向に沿って配設された略小柱状の第２連結部とを設け、上記柄部の先端部に、上記略小柱状の両連結部の他端側から一端側に挿入して着脱自在に外嵌しうる筒体を、その軸心が上記柄部の長手方向に沿うようにして固定し、上記支持具の第１連結部に柄部の筒体を挿入することにより上記支持具にその長手方向に沿う状態で柄を連結する第１態様と、上記支持具の第２連結部に柄部の筒体を挿入することにより上記支持具にその長手方向に対し直交する状態で柄部を連結する第２態様とに切り換え可能であることを特徴とするハンドワイパー。
【請求項２】
上記第１連結部の一端が支持具の長手方向の端部側に向き、他端が支持具の長手方向の中央部側に向き、上記第２連結部の他端が、上記第２態様において柄部が配設される側に向き、一端が、上記第２態様において柄部が配設されない側に向いている請求項１記載のハンドワイパー。
【請求項３】
上記支持具の長手方向の中央部に第２連結部を固定し、長手方向の一側部に複数の第１連結部を所定の間隔をあけて固定した請求項１または２記載のハンドワイパー。
【発明の詳細な説明】
【技術分野】
【０００１】
本発明は、自動車の洗車や家屋の窓ガラスの清掃等のあとに自動車の車体や窓ガラスに残っている水，水滴等をかき取ったり、拭き取ったりするために用いられるハンドワイパーに関するものである。
【背景技術】
【０００２】
従来から、運転者等が自動車を洗車等したあとに、自動車の車体等に残っている水滴等をかき取るために、各種のハンドワイパーが用いられている。このようなハンドワイパーとして、例えば、図７に示すようなハンディワイパーが提案されている。このハンディワイパーは、ワイパー本体３１と、このワイパー本体３１に揺動自在に枢結された柄部３２と、上記ワイパー本体３１に付設された拭き取り部３３とを備えており、ワイパー本体３１に対する柄部３２の枢結角度を自動的に変更可能にし、自動車の車体等とハンドワイパーを使用している人との相対位置が次々と変化しても、上記枢結角度が自動的に変動し、確実に水滴等をかき取ることができるようにしたものである。
【０００３】
より詳しく説明すると、上記ワイパー本体３１には、図８に示すように、その上縁中央部から一対の平行突片３４が突設されており、これら両平行突片３４の内面から正面視円形の係合突出子３５が突設されている（図８では、一方の平行突片３４，係合突出子３５しか図示せず）。また、上記両平行突片３４のうち、一方の平行突片３４の上端縁が半円弧状に形成されているとともに、この上端縁から僅かに離れて弓型のスリット部３６が設けられており、これにより上記一方の平行突片３４の上端部に弓型板ばね部３７が形成されている。また、上記一方の平行突片３４の上端縁に係止突出子３８が突設されている。一方、上記柄部３２の下端部は一対の勾配面部３９からなり、これら両勾配面部３９の上端部に、上記両係合突出子３５に枢結される円形凹部４０が形成されている（図８では、一方の勾配面部３９，円形凹部４０しか図示せず）。また、上記柄部３２の下端部に、上記弓型板ばね部３７に弾発的に摺接する正面視円弧凹状の段付部４１が形成されており、この段付部４１に、上記柄部３２の傾斜角度が９０°であるときに上記係止突出子３８に外嵌状に係止する係止凹部４２が形成されている。
【０００４】
そして、ワイパー本体３１に柄部３２を枢結させる場合には、ワイパー本体３１の両平行突片３４の上方からこれら両平行突片３４間に向けて柄部３２を押し下げ、この柄部３２の両勾配面部３９で両平行突片３４の係合突出子３５を押し拡げ、両平行突片３４の弾性復元力により両勾配面部３９の円形凹部４０に両係合突出子３５を嵌合させることを行う。また、柄部３２の傾斜角度が９０°である状態では、柄部３２の段付部４１の係止凹部４２が平行突片３４の係止突出子３８に係止しており、この状態から柄部３２を側方に（弓型板ばね部３７が形成されている側に）揺動させると、係止凹部４２と係止突出子３８との係止が外れたのち、段付部４１で係止突出子３８を押圧し、この押圧により弓型板ばね部３７が弾性変形し、その弾性復元力により係止突出子３８が段付部４１に弾発的に摺接するため、柄部３２を任意の枢結角度に揺動させることで、その枢結角度に柄部３２を固定することができる（例えば、特許文献１参照）。
【特許文献１】登録実用新案第３００６５８０号公報
【発明の開示】
【発明が解決しようとする課題】
【０００５】
しかしながら、上記のハンディワイパーでは、柄部３２をワイパー本体３１に対し直交する方向に揺動させることができないため、ハンドワイパーを使用している人が、柄部３２を手前側に引っ張って車体等上の水滴等を手前側にかき取る作業がしずらい。しかも、上記ワイパー本体３１の上縁中央部から一対の平行突片３４を突設し、これら両平行突片３４の内面から係合突出子３５を突設し、また、一方の平行突片３４の上端部に弓型板ばね部３７を形成し、この弓型板ばね部３７の上端縁から係止突出子３８を突設し、一方、上記柄部３２の下端部は一対の勾配面部３９からなり、これら両勾配面部３９の上端部に円形凹部４０を形成し、また、上記柄部３２の下端部に段付部４１を形成し、この段付部４１に係止凹部４２を形成しており、構造が複雑であり、製造コストが高価になる。しかも、ワイパー本体３１に柄部３２を連結した状態で保管等する場合には、保管場所に大きなスペースが必要となり、一方、保管時にワイパー本体３１と柄部３２とを分離する場合には、分離のたびおよび使用のたびに、ワイパー本体３１に柄部３２を枢結させなければならず、そのたびにワイパー本体３１の両平行突片３４を柄部３２の両勾配面部３９で押し拡げなければならず、ワイパー本体３１の両平行突片３４，両係合突出子３５や柄部３２の両勾配面部３９，円形凹部４０が早期に破損したり、損傷したりする。しかも、上記柄部３２の枢結角度を変動させるたびに、弓型板ばね部３７を弾性変形させなければならず、この弓型板ばね部３７が早期に破損したり、損傷したりする。
【０００６】
本発明は、このような事情に鑑みなされたもので、構造が簡単で、安価に作製することができ、保管場所に大きなスペースを必要せず、ワイパー本体と柄部との連結部が長期間にわたって破損したり、損傷したりすることがないハンドワイパーの提供をその目的とする。
【課題を解決するための手段】
【０００７】
上記の目的を達成するため、本発明のハンドワイパーは、ブレードと支持具とを備えた細長板状のワイパー本体と、このワイパー本体の支持具の上面に着脱自在に連結される長板状の柄部とを備え、上記支持具の上面に、一端から他端に向かって窄まり状に形成されその軸心が上記支持具の長手方向に沿って配設された略小柱状の第１連結部と、一端から他端に向かって窄まり状に形成されその軸心が上記支持具の長手方向に対し直交する方向に沿って配設された略小柱状の第２連結部とを設け、上記柄部の先端部に、上記略小柱状の両連結部の他端側から一端側に挿入して着脱自在に外嵌しうる筒体を、その軸心が上記柄部の長手方向に沿うようにして固定し、上記支持具の第１連結部に柄部の筒体を挿入することにより上記支持具にその長手方向に沿う状態で柄を連結する第１態様と、上記支持具の第２連結部に柄部の筒体を挿入することにより上記支持具にその長手方向に対し直交する状態で柄部を連結する第２態様とに切り換え可能であるという構成をとる。
【発明の効果】
【０００８】
すなわち、本発明のハンドワイパーは、ワイパー本体の支持具の第１連結部に柄部の筒体を挿入することにより上記支持具にその長手方向に沿う状態で柄を連結する第１態様と、上記支持具の第２連結部に柄部の筒体を挿入することにより上記支持具にその長手方向に対し直交する状態で柄部を連結する第２態様とに切り換え可能である。このため、上記第２態様において、柄部を手前側に引っ張ることで、車体等上の水滴等を手前側に簡単にかき取ることができる。しかも、上記支持具の上面に略小柱状の第１連結部と第２連結部とを設け、上記柄部の先端部に、上記両連結部の他端側から一端側に挿入して着脱自在に外嵌しうる筒体を固定しただけの簡単な構造であり、製造コストが安価になる。しかも、上記ワイパー本体と柄部とに分離して保管することができ、保管場所に大きなスペースを必要としないうえ、上記ワイパー本体と柄部とを分離する場合には、この柄部の筒体を支持具の連結部から抜き取るだけで簡単に分離することができ、上記両連結部や筒体が長期にわたって破損したり、損傷したりしない。しかも、第１態様と第２態様とに切り換える場合において、上記ワイパー本体と柄部とを連結する際には、上記柄部の筒体を支持具の連結部の他端側から一端側に挿入するだけで簡単に連結することができ、一方、上記ワイパー本体と柄部とを分離する際にも、上記のとおり、簡単に分離することができ、上記両連結部や筒体が長期にわたって破損したり、損傷したりしない。
【０００９】
また、本発明において、上記第１連結部の一端が支持具の長手方向の端部側に向き、他端が支持具の長手方向の中央部側に向き、上記第２連結部の他端が、上記第２態様において柄部が配設される側に向き、一端が、上記第２態様において柄部が配設されない側に向いている場合には、上記第１態様において柄部を左右に動かすときにも、また、上記第２態様において柄部を手前側に引っ張るときにも、ワイパー本体が柄部の動きに追随しやすいうえ、奥側に抜け出さない。
【００１０】
また、本発明において、上記支持具の長手方向の中央部に第２連結部を固定し、長手方向の一側部に複数の第１連結部を所定の間隔をあけて固定した場合には、上記第２態様において、柄部を手前側に引っ張るときに、ワイパー本体の長手方向の中央部を引っ張ることができ、操作しやすい。また、上記第１態様において、ワイパー本体および柄部の長手方向の長さを２種類に変更することができる。
【発明を実施するための最良の形態】
【００１１】
つぎに、本発明を実施するための最良の形態について説明する。ただし、本発明は、この実施の形態に限られるものではない。
【００１２】
図１は本発明のハンドワイパーの一実施の形態を示している。図において、１はワイパー本体であり、図２および図３に示すように、細長い板状体からなるゴム製のワイパーブレード２と、断面形状コ字状に形成された細長い帯状体からなる金属製もしくは合成樹脂製の支持具３とで構成されており、上記ワイパーブレード２の上部が支持具３の断面形状コ字状の溝３ａに固定されている。
【００１３】
上記支持具３には、その上面の一側部（図１では、右側部）に左右一対の横向き連結部（第１連結部）１１が突設されているとともに、中央部に前向き連結部（第２連結部）１２が突設されている。上記両横向き連結部１１はともに同形状に形成されており、上記支持具３の上面からその長手方向に沿って帯状に突設された帯状台部１３と、この帯状台部１３の上面に円錐台形状に突設された小柱状部１４とからなっている。また、これら両小柱状部１４はともに、その軸心が上記支持具３の長手方向に沿って延びており、その大径部が上記支持具３の端部側（この実施の形態では、右端側）に向いているとともに、小径部が上記支持具３の中央部側に向いている。
【００１４】
上記前向き連結部１２は、上記支持具３の上面からその長手方向に対し直交する方向に沿って帯状に突設された帯状台部１５と、この帯状台部１５の上面に円錐台形状に突設された小柱状部１６（これら帯状台部１５，小柱状部１６は上記支持具３の上面から前後に突出している）とからなっている。また、この小柱状部１６は、その軸心が上記長手方向に対し直交する方向に沿って延びており、その大径部が手前側（後述する第２態様において、後述する柄部４が配設される側）に向いているとともに、小径部が奥側（上記第２態様において、柄部４が配設されない側）に向いている。
【００１５】
４は上記ワイパー本体１の支持具３に連結される長板状の柄部であり、図４に示すように、後述する第１態様において上記支持具３に対し上向き傾斜状に延びる本体部２１と、上記第１態様において上記本体部２１の先端から支持具３の上面に向かって垂下するように延びる先端部２２とからなっている。この先端部２２の下端部には円錐台形状（上記両横向き連結部１１および前向き連結部１２にそれぞれの小径部側から大径部側に挿入し外嵌しうる形状）の筒体２３が突設されている。この筒体２３は、その軸心が上記ワイパー本体１の長手方向（すなわち、上記第１態様において、上記支持具３の長手方向と同じ方向）に沿って延びており、その大径開口部が本体部２１側（上記第２態様では、手前側）に向いているとともに、小径開口部が本体部２１の反対側（上記第２態様では、奥側）に向いている。このような筒体２３の下部は、大径開口部から小径開口部のやや手前部分まで、上記長手方向に沿って切欠き形成されている（図５参照）。図１において、２４は上記本体部２１の基端部に穿設された穴である。
【００１６】
上記の構成において、ワイパー本体１にその長手方向に沿って柄部４を連結する（第１態様を行う）場合には、ワイパー本体１の両横向き連結部１１の一方に柄部４の筒体２３を連結することを行う（図１参照）。この第１態様では、柄部４の筒体２３を外側の横向き連結部１１に連結することで、ワイパー本体１と柄部４との長手方向の長さを長くし、内側の横向き連結部１１に連結することで、ワイパー本体１と柄部４との長手方向の長さを短くすることができる。また、ワイパー本体１にその長手方向に対し直交する方向に沿って柄部４を連結する（第２態様を行う）場合には、ワイパー本体１の前向き連結部１２に柄部４の筒体２３を連結することを行う（図６参照）。この態様では、柄部４を手前側に引っ張ることで、車体等上の水滴等を手前側にかき取ることができる。また、上記両態様において、ワイパー本体１に柄部４を連結する場合には、ワイパー本体１の両横向き連結部１１，前向き連結部１２の奥側から柄部４の筒体２３を挿入する。
【００１７】
このように、上記実施の形態では、ワイパー本体１にその長手方向に沿って柄部４を連結する第１態様と、上記長手方向に対し直交する方向に沿って連結する第２態様とを選択することができる。また、上記第２態様では、柄部４を手前側に引っ張って、車体等上の水滴等を手前側に簡単にかき取ることができる。しかも、上記支持具３の上面に両横向き連結部１１，前向き連結部１２を設け、上記柄部４の先端部に筒体２３を設けただけの簡単な構造であり、製造コストが安価になる。しかも、上記ワイパー本体１と柄部４とに分離して保管することができ、保管場所に大きなスペースを必要としないうえ、上記ワイパー本体１と柄部４とを分離する場合には、この柄部４の筒体２３を支持具３の両横向き連結部１１，前向き連結部１２の奥側に向かって抜き取るだけで簡単に分離することができ、上記両横向き連結部１１，前向き連結部１２や筒体２３が長期にわたって破損したり、損傷したりしない。しかも、第１態様と第２態様とに切り換える場合において、上記ワイパー本体１と柄部４とを連結する際には、上記柄部４の筒体２３を支持具３の両横向き連結部１１，前向き連結部１２の奥側から挿入するだけで簡単に連結することができ、一方、上記ワイパー本体１と柄部４とを分離する際にも、上記のとおり、簡単に分離することができ、上記両横向き連結部１１，前向き連結部１２や筒体２３が長期にわたって破損したり、損傷したりしない。
【００１８】
なお、上記実施の形態では、上記両横向き連結部１１，前向き連結部１２の小柱状部１１４，１６は円錐台形状に形成されているが、これに限定するものではなく、円錐形状，多角錐形状，多角錐台形状に形成されていてもよい。また、上記横向き連結部１１は１つでも、３つ以上でもよいし、支持具３の上面の左側部に形成されていてもよい。また、上記前向き連結部１２は支持具３の上面に複数形成されていてもよい。
【００１９】
また、上記実施の形態において、ワイパーブレード２を構成する材料としては、ニトリルブタジエンゴム（ＮＢＲ），スチレンブタジエンゴム（ＳＢＲ），ブタジエンゴム（ＢＲ）等のゴム材料を用いてもよいし、ポリエステルエラストマー，ウレタン，軟質塩化ビニル（ＰＶＣ）等を用いてもよい。
【図面の簡単な説明】
【００２０】
【図１】本発明のハンドワイパーの一実施の形態を示す斜視図である。
【図２】ワイパー本体の斜視図である。
【図３】上記ワイパー本体の要部の斜視図である。
【図４】柄部の斜視図である。
【図５】上記柄部の要部の斜視図である。
【図６】上記ハンドワイパーの作用を示す斜視図である。
【図７】従来例を示す説明図である。
【図８】上記従来例の要部を示す説明図である。
【符号の説明】
【００２１】
１  ワイパー本体
３  支持具
４  柄部
１１  横向き連結部
１２  前向き連結部
２３  筒体
【図１】
2008093272.tif 000003
【図２】
2008093272.tif 000004
【図３】
2008093272.tif 000005
【図４】
2008093272.tif 000006
【図５】
2008093272.tif 000007
【図６】
2008093272.tif 000008
【図７】
2008093272.tif 000009
【図８】
2008093272.tif 000010